(57)【要約】【課題】記録ディスクの引き込み完了を検出するアームに加える２方向の力を簡単な構成により作り出す。【解決手段】トリガープレート４６が後部位置Ｐ１に位置するときには、イジェクトアーム４１の左側端部に形成された押動制御部４４がトリガープレート４６のトリガーピン４７と接している。このとき、イジェクトアーム４１を反時計回りに回動させると、押動制御部４４がトリガーピン４７を押し、トリガープレート４６が前方向に移動し、ばね４９が伸びる。したがって、ばね４９により、イジェクトアーム４１を時計回りに回動させるような引っ張り力が作り出される。一方、トリガープレート４６がピニオン６６により前部位置Ｐ３まで前進すると、押動制御部４４とトリガーピン４７とが離れ、ばね４９が伸び、イジェクトアーム４１を反時計回りに回動させるような引っ張り力が作り出される。【選択図】図１２
2007102939.tif 000002
【特許請求の範囲】
【請求項１】
記録ディスクに対して情報の読み取りまたは記録を行うディスクドライブであって、
基板と、
前記基板に支軸を介して回動可能に支持され、前記支軸から左右方向一方側に伸張し、ローディング時には前記記録ディスクの後ろ側周縁に接触することにより前記記録ディスクの引き込み完了を検出する第１端部と、前記支軸から左右方向他方側に伸張する第２端部と、前記支軸と前記第２端部との間に形成されたばね接続部とを備えたアームと、
前記基板に前後方向に移動可能に支持され、後部位置から中間位置を通過して前部位置に至るまで前方向に移動する移動部材と、
前記アームの第２端部に設けられ、前記アームの回動により生じる前記第２端部の前進により、前記移動部材を前記後部位置から中間位置まで押し動かす押動制御部と、
前記押動制御部により前記中間位置まで押し動かされた前記移動部材を前記中間位置から前記前部位置まで搬送する搬送機構と、
一端側が前記アームのばね接続部に接続され、他端側が前記移動部材に接続され、前記移動部材が前方向に移動したときに、前記アームのばね接続部を引っ張るばねとを備えていることを特徴とするディスクドライブ。
【請求項２】
前記移動部材は、前記移動部材が前記後部位置から前記中間位置に存在するまでの間、前記押動制御部と接するピンを備えていることを特徴とする請求項１に記載のディスクドライブ。
【請求項３】
前記搬送機構は、前記中間位置に配置されたピニオンと、前記ピニオンを回転させるモーターとを備え、
前記移動部材は、前記移動部材が前方向に移動して前記中間位置に到達したときに、ピニオンと噛み合うラック部を備えていることを特徴とする請求項１に記載のディスクドライブ。
【請求項４】
前記アームは、前記基板に対して前後方向に移動可能に支持された支持板上に支軸を介して回動可能に支持され、
前記支持板が前後方向に移動し、これに伴って前記アームが前後方向に移動すると、前記ばねによる前記アームと前記移動部材との間の接続により、前記移動部材も前記アームといっしょに前後方向に移動することを特徴とする請求項１に記載のディスクドライブ。
【発明の詳細な説明】
【技術分野】
【０００１】
本発明は、例えばＤＶＤドライブ、ＣＤ（Compact Disc）ドライブなどのディスクドライブに関する。
【背景技術】
【０００２】
ＤＶＤ、ＣＤ、ブルーレイディスク、磁気ディスクなどの記録ディスクに対し、情報の読み取りまたは記録を行うディスクドライブは、ディスクプレーヤ、ディスクレコーダ、オーディオシステム、パーソナルコンピュータ、カーナビゲーションシステムなど様々な装置に用いられている。
【０００３】
ディスクドライブには、一般的な光ディスクドライブのように、記録ディスクを着脱することができるタイプと、一般的なハードディスクドライブのように、記録ディスクを着脱することができないタイプがある。さらに、記録ディスクを着脱することができるタイプのディスクドライブには、記録ディスクの着脱方式に関し、スロットイン方式、ドロアー方式、トレー方式などがある。
【０００４】
スロットイン方式のディスクドライブの中には、ローディング時にはローディングアームを用いて記録ディスクをディスクドライブ内へ引き込み、イジェクト時には、イジェクトアームを用いて記録ディスクをディスクドライブの外側に向けて押し出す構造を備えたものがある。
【０００５】
このようなタイプのディスクドライブのローディング時の動作は例えば次の通りである。ユーザーが記録ディスクをディスクスロットに挿入すると、記録ディスクの周縁が各ローディングアームの先端部に設けられたローラーに接触し、これによりローディングアームが押され、ローディングアームがわずかに回動する。これをきっかけにモーターが始動し、ローラーが回転を始める。そして、ローラーの回転により、記録ディスクがディスクドライブ内に引き込まれる。記録ディスクが引き込まれるに従って、ローディングアームがさらに回動し、ローディングアームが開いていく。記録ディスクが引き込み完了位置に近づくと、ディスクドライブの奥（内部後ろ側）に設けられたイジェクトアームの先端部に記録ディスクが接触し、これによりイジェクトアームが押され、イジェクトアームが回動する。記録ディスクが引き込み完了位置、すなわちターンテーブル上のクランプ位置に到達すると、イジェクトアームが所定角度回動し、これにより記録ディスクが引き込み完了位置に到達したことが検出される。この検出に基づいて記録ディスクがクランプされる。そして、クランプ動作完了時に、ローディングアームおよびイジェクトアームが記録ディスクの周縁から離れる。この後、モーターが停止し、ローラーの回転が止まる。これにより、記録ディスクはターンテーブル上で高速回転可能な状態になる。
【０００６】
また、このようなタイプのディスクドライブのイジェクト動作は、例えば次の通りである。ディスクドライブ内にクランプされた記録ディスクをイジェクト（排出）する旨の指示が発せられると、モーターが始動し、ローラーが回転を始める。そして、クランプが解除され、イジェクトアームとローディングアームが記録ディスクの周縁に接触する。さらに、イジェクトアームが記録ディスクをディスクスロットに向けて押し出す。そして、ローラーの回転により、記録ディスクがディスクスロットを通じてディスクドライブの外側に向けて搬送される。記録ディスクが搬送されるに従って、ローディングアームが回動し、ローディングアームが閉じていく。記録ディスクがディスクスロット近傍の適切な停止位置に到達すると、モーターが停止し、ローラーの回転が止まる。これにより、記録ディスクは、ディスクスロット近傍の適切な位置に停止する。
【発明の開示】
【発明が解決しようとする課題】
【０００７】
ところで、イジェクトアームは、ローディング時には、一端側を記録ディスクの後ろ側周縁に接触させることにより記録ディスクの引き込み完了を検出し、クランプ時には、一端側を記録ディスクの後ろ側周縁から離し、記録ディスクがターンテーブル上で高速回転可能な状態を作り出す。
【０００８】
したがって、ローディング時には、イジェクトアームの一端側を記録ディスクの後ろ側周縁に接触させるため、イジェクトアームの一端側が前進する方向にイジェクトアームが回動するようにイジェクトアームに力を加えることが望ましい。
【０００９】
一方、クランプ時には、イジェクトアームの一端側を記録ディスクの後ろ側周縁から離すために、イジェクトアームの一端側が後退する方向にイジェクトアームが回動するようにイジェクトアームに力を加えることが望ましい。
【００１０】
すなわち、イジェクトアームに加える力の方向は、ローディング時とクランプ時とで逆である。
【００１１】
イジェクトアームへのこのような力の付与は、ばねを用いて行うことが多い。イジェクトアームに力を加える方向がローディング時とクランプ時とで逆であるとすれば、複数のばねを用いて、これらのばねによる付勢をローディング時とクランプ時とで切り替えるなどといった複雑な構造を採用しなければならないおそれがある。
【００１２】
ディスクドライブの構造が複雑化すると、部品点数の削減、ディスクドライブの小型化、薄型化、軽量化あるいは製造コストの削減が困難になるおそれがある。
【００１３】
本発明は上記に例示したような問題点に鑑みなされたものであり、本発明の課題は、記録ディスクの引き込み完了を検出するアームに加える２方向の力を簡単な構成により作り出すことができるディスクドライブを提供することにある。
【課題を解決するための手段】
【００１４】
上記課題を解決するために請求項１に記載のディスクドライブは、記録ディスクに対して情報の読み取りまたは記録を行うディスクドライブであって、基板と、前記基板に支軸を介して回動可能に支持され、前記支軸から左右方向一方側に伸張し、ローディング時には前記記録ディスクの後ろ側周縁に接触することにより前記記録ディスクの引き込み完了を検出する第１端部と、前記支軸から左右方向他方側に伸張する第２端部と、前記支軸と前記第２端部との間に形成されたばね接続部とを備えたアームと、前記基板に前後方向に移動可能に支持され、後部位置から中間位置を通過して前部位置に至るまで前方向に移動する移動部材と、前記アームの第２端部に設けられ、前記アームの回動により生じる前記第２端部の前進により、前記移動部材を前記後部位置から中間位置まで押し動かす押動制御部と、前記押動制御部により前記中間位置まで押し動かされた前記移動部材を前記中間位置から前記前部位置まで搬送する搬送機構と、一端側が前記アームのばね接続部に接続され、他端側が前記移動部材に接続され、前記移動部材が前方向に移動したときに、前記アームのばね接続部を引っ張るばねとを備えている。
【発明を実施するための最良の形態】
【００１５】
以下、本発明の実施の形態について図面を参照しながら説明する。
【００１６】
（ディスクドライブの全体的な構成および動作）
図１は、本発明のディスクドライブの実施形態を示している。図１中のディスクドライブ１０は、例えばＤＶＤ、ＣＤ、ブルーレイディスクなどの記録ディスクに対し、情報の読み取りまたは記録を行う装置である。ディスクドライブ１０は、記録ディスクを着脱することができるタイプであり、また、記録ディスクの着脱方式についてスロットイン方式を採用している。
【００１７】
ディスクドライブ１０は、互いに直径の異なる複数種類の記録ディスクに対して情報の読み取りまたは記録を行うことができる。例えば、直径が８ｃｍの記録ディスク１（図２参照）と直径が１２ｃｍの記録ディスク２（図７参照）との双方に対して情報の読み取りまたは記録を行うことができる。
【００１８】
図１に示すように、ディスクドライブ１０の外殻は、シャーシ１１およびフロントカバー１２により構成されている。
【００１９】
シャーシ１１は例えば金属材料により形成され、底板を有し、必要に応じて側板、天井板を有している。
【００２０】
フロントカバー１２は例えば樹脂材料により形成されている。フロントカバー１２にはディスクスロット１３が形成されている。ディスクスロット１３は、記録ディスクのローディングおよびイジェクトを行うときに記録ディスクを通過させる溝である。
【００２１】
なお、以下の説明では、図１中の矢示Ｘ方向を左右方向といい、矢示Ｙ方向を前後方向といい、矢示Ｚ方向を上下方向という。
【００２２】
図２は、ディスクドライブ１０の内部を示している。図２に示すように、ディスクドライブ１０は、一対のローディングアーム２１、２１、ラックプレート３１、セレクトプレート３７、イジェクトアーム４１、トリガープレート４６、第１シフトバー５１、第２シフトバー５５、トラバースメカ６１、モーター６５、ピニオン６６、スイッチユニット６９および制御回路７５などを備えている。
【００２３】
ローディングアーム２１、２１は、ディスクドライブ１０前側のディスクスロット１３近傍の位置に左右対称に配置されている。各ローディングアーム２１は、支軸２２を介してシャーシ１１上に回動可能に支持されている。各ローディングアーム２１は例えば樹脂材料または金属材料により形成されている。
【００２４】
各ローディングアーム２１の先端部上面にはローラー２３が回転可能に取り付けられている。ローラー２３はモーター６５により回転する。左側のローラー２３は記録ディスクの左側周縁と接触する。右側のローラー２３は記録ディスクの右側周縁と接触する。
【００２５】
ローディングアーム２１、２１は、ローラー２３、２３を介して記録ディスクを狭持し、記録ディスクの搬送を行う。ローディングアーム２１、２１は、記録ディスクの前進または後退に従って回動し、これによりローディングアーム２１、２１の先端側が開閉する。
【００２６】
各ローディングアーム２１の軸部下面にはギア２４が固定されている。左側のギア２４はピニオン２５を介してラックプレート３１の左側のラック部３１Ａに噛み合っている。右側のギア２４はラックプレート３１の右側のラック部３１Ｂに直接噛み合っている。これらのギア２４、ピニオン２５およびラック部３１Ａ、３１Ｂは、各ローディングアーム２１の回動をラックプレート３１の左右方向の移動に変換する。具体的には、各ローディングアーム２１が開くときの各ローディングアーム２１の回動をラックプレート３１の左方向の移動に変換し、各ローディングアーム２１が閉じるときの各ローディングアーム２１の回動をラックプレート３１の右方向の移動に変換する。
【００２７】
ラックプレート３１は、ディスクドライブ１０前側のディスクスロット１３近傍に位置し、シャーシ１１とローディングアーム２１、２１との間に配置されている。ラックプレート３１は、シャーシ１１に左右方向に移動可能に支持されている。ラックプレート３１は例えば金属材料により形成されている。ラックプレート３１には一対のラック部３１Ａ、３１Ｂが形成されている。
【００２８】
また、ラックプレート３１の右側後部にはスイッチングエッジ３２が形成されている。スイッチングエッジ３２は左右方向に直線状に伸張している。ラックプレート３１の左右方向の移動によりスイッチングエッジ３２が左右方向に移動すると、スイッチングエッジ３２と第１スイッチ７１の切り替えレバーとの接触の有無が変わり、これにより第１スイッチ７１のオン、オフが切り替わる。また、ラックプレート３１の左右方向の移動によりスイッチングエッジ３２が左右方向に移動すると、スイッチングエッジ３２と第２スイッチ７２の切り替えレバーとの接触の有無が変わり、これにより第２スイッチ７２のオン、オフが切り替わる。
【００２９】
また、ラックプレート３１の左側後部にはセレクトカム溝３３が形成されている。セレクトカム溝３３内にはセレクトプレート３７のセレクトピン３８が挿入されている。また、ラックプレート３１の左側後部には２個の退避制御溝、すなわち第１退避制御溝３４および第２退避制御溝３５が形成されている。ラックプレート３１が左方向に移動し、かつ第１シフトバー５１が前方向に移動したときに、第１シフトバー５１の退避制御ピン５３が退避制御溝３４、３５のいずれかに進入する。
【００３０】
セレクトプレート３７は、ディスクドライブ１０左側に配置されている。セレクトプレート３７は、シャーシ１１に固定されたモーターブランケット（図示せず）に前後方向に移動可能に支持されている。これにより、セレクトプレート３７はシャーシ１１に対し前後方向に移動可能である。セレクトプレート３７は例えば金属材料により形成されている。ディスクドライブ１０の左側には、いくつかの部材が上下方向に重なり合っている。セレクトプレート３７は、概ね、ラックプレート３１、トリガープレート４６および第２シフトバー５５の下方に位置し、ピニオン６６の上方に位置する。
【００３１】
セレクトプレート３７の前側上面にはセレクトピン３８が設けられている。セレクトピン３８の一端側は上向きに伸び、ラックプレート３１のセレクトカム溝３３に挿入され、他端側はセレクトプレート３７に固定されている。セレクトピン３８およびセレクトカム溝３３は、ラックプレート３１の左右方向の移動をセレクトプレート３７の前後方向の移動に変換する。具体的には、セレクトピン３８およびセレクトカム溝３３は、ラックプレート３１の左方向の移動をセレクトプレート３７の後ろ方向の移動に変換し、ラックプレート３１の右方向の移動をセレクトプレート３７の前方向の移動に変換する。
【００３２】
また、セレクトプレート３７の後ろ側上面には、イジェクトアーム４１の回動を規制するストッパー３９が設けられている。ストッパー３９の上端側は上向きに伸び、下端側はセレクトプレート３７に形成された貫通溝９１（図１２参照）内を通過して、図示しないモーターブランケットに固定されている。
【００３３】
イジェクトアーム４１は、ローディング時には一端側が記録ディスクの後ろ側周縁に接触することにより記録ディスクの引き込み完了を検出し、イジェクト時には一端側が記録ディスクの後ろ側周縁を押すことにより記録ディスクを前方向に移動させる。イジェクトアーム４１は、セレクトプレート３７の後部上面上に回動可能に支持されている。イジェクトアーム４１は例えば金属材料または樹脂材料により形成されている。イジェクトアーム４１は支軸４２を中心に回動する。イジェクトアーム４１の支軸４２はセレクトプレート３７の前後方向の移動に伴って前後方向に移動する。イジェクトアーム４１の一端側上面には接触部材４３が取り付けられている。接触部材４３は記録ディスクの周縁と接触する。
【００３４】
また、イジェクトアーム４１の他端側には押動制御部４４が形成されている。押動制御部４４は、イジェクトアーム４１が後ろ方向に回動すると前方向に移動し、トリガープレート４６のトリガーピン４７を押し、これによりトリガープレート４６を前方向に押し動かす。
【００３５】
トリガープレート４６は、セレクトプレート３７の後部上方に位置し、シャーシ１１に固定されたモーターブランケット（図示せず）に前後方向に移動可能に取り付けられている。トリガープレート４６は例えば金属材料により形成されている。トリガープレート４６は、セレクトプレート３７上方でセレクトプレート３７に対して前後方向に移動することができる。また、トリガープレート４６は、セレクトプレート３７に支軸４２を介して回動可能に取り付けられたイジェクトアーム４１とコイルばね４９を介して接続されている。このため、トリガープレート４６はセレクトプレート３７の前後方向の移動に伴って、イジェクトアーム４１といっしょに前後方向に移動する。
【００３６】
トリガープレート４６は、セレクトプレート３７およびイジェクトアーム４１の上方に覆い被さるように配置されている。もっとも、トリガープレート４６の前側右縁部に形成されたラック部４６Ａは、トリガープレート４６からセレクトプレート３７の右縁近傍を降りてセレクトプレート３７の下方に潜り込んでいる。ラック部４６Ａは、トリガープレート４６が前進したときに、セレクトプレート３７の下方に配置されたピニオン６６と噛み合う。
【００３７】
トリガープレート４６の後ろ側下面にはトリガーピン４７が設けられている。トリガーピン４７の一端側は下向きに伸び、他端側はトリガープレート４６の下面に固定されている。トリガーピン４７の一端側は、イジェクトアーム４１の押動制御部４４と接触可能な位置まで伸びている。
【００３８】
また、トリガープレート４６の前側右縁部には第１伝達ピン４８が設けられている。伝達ピン４８の一端側は右方向に伸び、第１シフトバー５１の伝達溝５１Ａに挿入されている。伝達ピン４８の他端側はトリガープレート４６の右縁部に固定されている。
【００３９】
イジェクトアーム４１とトリガープレート４６との間にはコイルばね４９が取り付けられている。コイルばね４９は、イジェクトアーム４１の他端側を前方向に引っ張っている。
【００４０】
第１シフトバー５１は、シャーシ１１上に前後方向に移動可能に支持されている。シフトバー５１は例えば樹脂材料により形成され、例えば金属プレートであるラックプレート３１やセレクトプレート３７よりも肉厚である。
【００４１】
第１シフトバー５１の左側側面には伝達溝５１Ａが形成されている。伝達溝５１Ａは、前後方向にシャーシの底板に対しほぼ平行に伸張している。伝達溝５１Ａにはトリガープレート４６の伝達ピン４８が挿入されている。また、シフトバー５１の前側上面には第２伝達ピン５２が設けられている。伝達ピン５２の一端側は上方に伸び、第２シフトバー５５の伝達スロット５５Ａに挿入されており、他端側はシフトバー５１の上面に固定されている。また、第１シフトバー５１の前側上面には退避制御ピン５３が設けられている。退避制御ピン５３の一端側はラックプレート３１の退避制御溝３４、３５と接触可能な位置まで上方に伸び、他端側はシフトバー５１の上面に固定されている。退避制御ピン５３は、ラックプレート３１が左方向に移動し、かつ第１シフトバー５１が前方向に移動したときに、ラックプレート３１の退避制御溝３４、３５のいずれかに進入する。退避制御ピン５３および退避制御溝３４、３５は、クランプ時に、ローディングの過程で左方向に移動したラックプレート３１をさらに左方向に移動させる。
【００４２】
第２シフトバー５５は、シャーシ１１上に左右方向に移動可能に支持されている。シフトバー５５は例えば樹脂材料により形成され、例えば金属プレートであるラックプレート３１やセレクトプレート３７よりも肉厚である。
【００４３】
第２シフトバー５５の左側端部には伝達スロット５５Ａが形成されている。伝達スロット５５Ａには第１シフトバー５１の第２伝達ピン５２が挿入されている。また、第２シフトバー５５の後ろ側側面には昇降溝５５Ｂが形成されている。昇降溝５５Ｂは、シフトバー５５の左右方向の移動によりトラバースメカ６１を昇降させるためのカム溝であり、右端が低位置にあり、左端が高位置にある。昇降溝５５Ｂにはトラバースメカ６１に取り付けられた昇降ピン６４が挿入されている。
【００４４】
また、第２シフトバー５５の右側端部にはスイッチングスティック５６が形成されている。スイッチングスティック５６は左右方向に直線状に伸張している。シフトバー５５の左右方向の移動によりスイッチングスティック５６が左右方向に移動すると、スイッチングスティック５６と第３スイッチ７３の切り替えレバーとの接触の有無が変わり、これにより第３スイッチ７３のオン、オフが切り替わる。
【００４５】
トラバースメカ６１には、ターンテーブル６２および光ピックアップ６３などが設けられている。モーター６５は、ピニオン６６を回転駆動すると共に、各ローディングアーム２１のローラー２３を回転駆動する。ピニオン６６は、セレクトプレート３７の下方に配置されている。上述したようにセレクトプレート３７およびトリガープレート４６は前後方向に移動するが、ピニオン６６の軸は不動である。ピニオン６６は、クランプ動作時にモーター６５の動力をトリガープレート４６に伝達し、第２シフトバー５５、第１シフトバー５１、トラバースメカ６１などを移動させる。
【００４６】
なお、トリガープレート４６、第１シフトバー５１、第２シフトバー５５、昇降ピン６４、モーター６５、ピニオン６６、ターンテーブル６２、ターンテーブル６２に対向するようにターンテーブル６２の上方に設けられたクランパー（図示せず）などによりクランプ機構が構成されている。
【００４７】
スイッチユニット６９は、ディスクドライブ１０の右側に配置されている。スイッチユニット６９はスイッチ基板７０、第１スイッチ７１、第２スイッチ７２、第３スイッチ７３および配線を備えている。スイッチ７１ないし７３および配線は、スイッチ基板７０上に設けられている。
【００４８】
各スイッチ７１、７２、７３には切り替えレバーが設けられている。切り替えレバーを押し込むとスイッチがオンになる。切り替えレバーを離すと切り替えレバーが自動的に起きあがり、スイッチがオフになる。第１スイッチ７１および第２スイッチ７２の切り替えレバーは、ラックプレート３１のスイッチングエッジ３２が接触することにより押し込まれる。すなわち、第１スイッチ７１および第２スイッチ７２は、スイッチングエッジ３２との接触の有無により、オン、オフが切り替わる。一方、第３スイッチ７３の切り替えレバーは、第２シフトバー５５のスイッチングスティック５６が接触することにより押し込まれる。すなわち、第３スイッチ７３は、スイッチングスティック５６との接触の有無により、オン、オフが切り替わる。
【００４９】
制御回路７５は、スイッチ７１ないし７３のオン・オフ状態などに基づいて、ローディング時、クランプ時およびイジェクト時におけるモーター６５の駆動を制御する。具体的には、制御回路７５は、スイッチ７１ないし７３からそれぞれ出力される出力信号を受け取る。そして、制御回路７５は、モーター６５を駆動するための駆動信号をモーター６５に出力する。
【００５０】
さらに、制御回路７５には、ディスク識別回路７６が含まれている。ディスク識別回路７６は、記録ディスクの位置がクランプ位置であるときの第２スイッチ７２のオン・オフ状態を用いて、この記録ディスクの種類を識別する。ディスク識別回路７６は、記録ディスクの種類の識別結果を示す識別信号を出力する。この識別信号は制御回路７５においてモーター６５の駆動制御に用いられる。
【００５１】
直径８ｃｍの記録ディスク１がディスクドライブ１０に挿入されたとき、ディスクドライブ１０は例えば次のように動作する。
【００５２】
図３に示すように、記録ディスク１がディスクドライブ１０に挿入されると、記録ディスク１の周縁が各ローディングアーム２１のローラー２３に接触し、各ローディングアーム２１を後ろ方向に押す。これにより、各ローディングアーム２１が開く。各ローディングアーム２１が開くと、ギア２４、ピニオン２５およびラック部３１Ａ、３１Ｂの噛合により、ラックプレート３１が左方向に移動する。ラックプレート３１が移動すると、スイッチングエッジ３２が第１スイッチ７１の切り替えレバーから離れ、第１スイッチ７１がオンからオフに切り替わる。これに応じて制御回路７５はモーター６５の駆動を開始させる。これにより、各ローディングアーム２１のローラー２３が回転を始め、ローラー２３の回転により記録ディスク１がディスクドライブ１０の内部へ引き込まれる。
【００５３】
記録ディスク１が引き込まれ、記録ディスク１が後ろ方向に搬送されるにしたがって、各ローディングアーム２１がさらに開き、ラックプレート３１が左方向にさらに移動する。やがて記録ディスク１の後ろ側周縁がイジェクトアーム４１の接触部材４３に接触し、イジェクトアーム４１の一端側を後退させる。イジェクトアーム４１の一端側が後退すると、イジェクトアーム４１の他端側が前進し、イジェクトアーム４１の押動制御部４４がトリガーピン４７を押し、トリガープレート４６を前進させる。
【００５４】
図４に示すように、記録ディスク１がクランプ位置まで搬送され、これによりイジェクトアーム４１の一端側が所定の位置まで後退すると、押動制御部４４の前進によりトリガープレート４６が所定の位置まで前進する。トリガープレート４６が所定の位置まで前進すると、トリガープレート４６のラック部４６Ａがピニオン６６と噛み合う。ピニオン６６は、モーター６５が駆動している間は常に回転している。トリガープレート４６のラック部４６Ａがピニオン６６と噛み合うと、ピニオン６６の回転により、トリガープレート４６がさらに前進する。すなわち、トリガープレート４６のラック部４６Ａがピニオン６６と噛み合った瞬間、トリガープレート４６を前進させる動力源が、押動制御部４４の押圧力からピニオン６６の回転に切り替わる。
【００５５】
図５に示すように、トリガープレート４６が前進し、トリガープレート４６の伝達ピン４８が第１シフトバー５１の伝達溝５１Ａ中のストッパー（例えば伝達溝５１Ａ前端内壁）に当たると、第１シフトバー５１も前進する。第１シフトバー５１が前進すると、第１シフトバー５１の伝達ピン５２により第２シフトバー５５が右方向に移動する。第２シフトバー５５が右方向に移動すると、スイッチングスティック５６も右方向に移動する。これにより、スイッチングスティック５６の右端が第３スイッチ７３の切り替えレバーに接触し、第３スイッチ７３がオフからオンに切り替わる。第３スイッチ７３がオフからオンに切り替わると、制御回路７５はモーター６５の駆動を停止する。これにより、各ローディングアーム２１のローラー２３の回転およびピニオン６６の回転が止まる。
【００５６】
また、第２シフトバー５５が右方向に移動すると、第２シフトバー５５の昇降溝５５Ｂに挿入された昇降ピン６４が持ち上がり、これに伴ってトラバースメカ６１が上昇する。これにより、記録ディスク１がターンテーブル６２とターンテーブル６２の上方に配置されたクランパー（図示せず）との間にクランプされる。
【００５７】
また、このとき、第１シフトバー５１の前進により、第１シフトバー５１の退避制御ピン５３がラックプレート３１の第１退避制御溝３４に進入する。そして、退避制御ピン５３が第１退避制御溝３４の傾斜縁を押すことにより、ラックプレート３１が左方向にさらに移動する。これにより、各ローディングアーム２１がさらに開き、各ローディングアーム２１のローラー２３が記録ディスク１の周縁から離れ、各ローディングアーム２１のローラー２３と記録ディスク１の周縁との間に適切なクリアランスが確保される。
【００５８】
さらに、退避制御ピン５３の第１退避制御溝３４への進入によりラックプレート３１が左方向に移動すると、セレクトプレート３７のセレクトピン３８がセレクトカム溝３３の左右方向中央付近に形成された傾斜溝部の一部によりわずかに後ろ方向に押され、セレクトプレート３７が小さく後退する。セレクトプレート３７が小さく後退すると、イジェクトアーム４１の支軸４２も小さく後退する。このとき、イジェクトアーム４１の他端側は、トリガープレート４６の前進により伸張したコイルばね４９により引っ張られている。このため、イジェクトアーム４１は反時計回りに回動し、イジェクトアーム４１の一端側が後退し、イジェクトアーム４１の接触部材４３が記録ディスク１の周縁から離れる。これにより、イジェクトアーム４１の接触部材４３と記録ディスク１の周縁との間に適切なクリアランスが確保される。
【００５９】
図５に示すように、記録ディスク１のクランプが完了し、イジェクトアーム４１および各ローディングアーム２１の退避が完了すると、図示しないスピンドルモーター６５が駆動を開始し、ターンテーブル６２が回転し、記録ディスク１が回転する。そして、光ピックアップ６３により記録ディスク１に対し、情報の読み取りまたは記録が行われる。
【００６０】
記録ディスク１に対する情報の読み取りまたは書き込みが終了し、記録ディスク１をイジェクトする旨の指示が与えられたときには、この指示に応じてモーター６５が始動する。このときのモーター６５の回転方向は、ローディング時とは逆の方向である。そして、ピニオン６６が逆回転を始め、これにより、第１シフトバー５１およびトリガープレート４６が後退する。さらに、第２シフトバー５５が左方向に移動し、スイッチングスティック５６が左方向に移動し、スイッチングスティック５６が第３スイッチ７３の切り替えレバーから離れ、第３スイッチ７３がオンからオフに切り替わる。さらに、トラバースメカ６１が下降する。さらに、第１シフトバー５１の退避制御ピン５３がラックプレート３１の第１退避制御溝３４から退出し、ラックプレート３１が図示しないばねの力により右方向に移動する。これにより各ローディングアーム２１が閉じ、各ローディングアーム２１のローラー２３が記録ディスク１の周縁に接触する。さらに、トリガープレート４６の後退により、イジェクトアーム４１が時計回りに回動し、イジェクトアーム４１の一端側が前進し、接触部材４３が記録ディスク１の周縁に接触する。また、モーター６５の回転開始により各ローラー２３が逆回転を開始する。
【００６１】
そして、記録ディスク１は、イジェクトアーム４１の接触部材４３により押され、さらに各ローディングアーム２１のローラー２３の逆回転により前方向に搬送される。
【００６２】
図６に示すように、記録ディスク１が前方向に搬送されるにしたがって、各ローディングアーム２１の先端側が閉じ、ラックプレート３１が右方向に移動する。そして、ラックプレート３１のスイッチングエッジ３２が第１スイッチ７１の切り替えレバーに接触し、第１スイッチ７１がオフからオンに切り替わる。第１スイッチ７１がオフからオンに切り替わると、制御回路７５はモーター６５の駆動を停止させる。これにより、各ローディングアーム２１のローラー２３の回転が停止し、記録ディスク１がイジェクト完了位置に停止する。
【００６３】
イジェクト完了位置は、例えば、いずれの記録ディスクにおいても、その表面面積のおよそ５分の３ないし４分の３程度に相当する部分がディスクスロット１３から外に露出し、残りの部分がディスクドライブ１０内に留まるような位置であることが望ましい。これにより、イジェクト時に、記録ディスクがディスクスロット１３から外へ脱落するのを防止することができ、かつ、ユーザーがイジェクトされた記録ディスクを手で取り出しやすくすることができる。
【００６４】
その後、イジェクト完了位置に停止している記録ディスク１をユーザーがディスクドライブ１０内に再び押し込むと、これにより各ローディングアーム２１が開き、ラックプレート３１が左方向に移動し、第１スイッチ７１がオンからオフに切り替わり、モーター６５の駆動が開始される。これにより、各ローディングアーム２１のローラー２３の回転が始まり、記録ディスク１がディスクドライブ１０内に再び引き込まれる。
【００６５】
直径１２ｃｍの記録ディスク２がディスクドライブ１０に挿入されたとき、ディスクドライブ１０は例えば次のように動作する。
【００６６】
図７に示すように、記録ディスク２がディスクドライブ１０に挿入されると、記録ディスク２の周縁が各ローディングアーム２１のローラー２３に接触し、各ローディングアーム２１を後ろ方向に押す。これにより各ローディングアーム２１が開く。各ローディングアーム２１が開くと、ギア２４、ピニオン２５およびラック部３１Ａ、３１Ｂの噛合により、ラックプレート３１が左方向に移動する。ラックプレート３１が移動すると、スイッチングエッジ３２が第１スイッチ７１の切り替えレバーから離れ、第１スイッチ７１がオンからオフに切り替わる。これにより、制御回路７５はモーター６５の駆動を開始させる。これにより、各ローディングアーム２１のローラー２３が回転を始め、ローラー２３の回転により記録ディスク２がディスクドライブ１０の内部へ引き込まれる。
【００６７】
図８に示すように、記録ディスク２が引き込まれ、記録ディスク２が後ろ方向に搬送されるにしたがって、ローディングアーム２１がさらに開き、ラックプレート３１が左方向にさらに移動する。そして、スイッチングエッジ３２が第２スイッチ７２の切り替えレバーから離れ、第２スイッチ７２がオンからオフに切り替わる。制御回路７５は、このときの第２スイッチ７２の切り替わりにより動作を変更せず、それゆえ、モーター６５は回転を続け、記録ディスク２の搬送が続く。
【００６８】
直径１２ｃｍの記録ディスク２が搬送されるときのローディングアーム２１、２１の開きは、直径８ｃｍの記録ディスク１が搬送されるときのローディングアーム２１、２１の開きよりも大きい。この結果、直径１２ｃｍの記録ディスク２が搬送されるときのラックプレート３１の移動量は、直径８ｃｍの記録ディスク１が搬送されるときのラックプレート３１の移動量よりも大きい。このようにラックプレート３１が左方向に大きく移動すると、ラックプレート３１のセレクトカム溝３３に挿入されているセレクトピン３８が、セレクトカム溝３３の左右方向中央付近に形成された傾斜溝部の全部により後ろ方向に大きく押され、セレクトプレート３７が大きく後退する。これにより、イジェクトアーム４１の支軸４２が大きく後退し、トリガープレート４６も大きく後退する。
【００６９】
記録ディスク２の搬送が続くと、やがて記録ディスク２の後ろ側周縁がイジェクトアーム４１の接触部材４３に接触し、イジェクトアーム４１の一端側を後退させる。イジェクトアーム４１の一端側が後退すると、イジェクトアーム４１の他端側が前進し、イジェクトアーム４１の押動制御部４４がトリガーピン４７を押し、トリガープレート４６を前進させる。
【００７０】
図９に示すように、記録ディスク２がクランプ位置まで搬送され、これによりイジェクトアーム４１の一端側が所定の位置まで後退すると、押動制御部４４の前進によりトリガープレート４６が所定の位置まで前進する。トリガープレート４６が所定の位置まで前進すると、トリガープレート４６のラック部４６Ａがピニオン６６と噛み合う。トリガープレート４６のラック部４６Ａがピニオン６６と噛み合うと、ピニオン６６の回転により、トリガープレート４６がさらに前進する。
【００７１】
図１０に示すように、トリガープレート４６が前進し、トリガープレート４６の伝達ピン４８が例えば第１シフトバー５１の伝達溝５１Ａの前端内壁に当たると、第１シフトバー５１も前進する。第１シフトバー５１が前進すると、第１シフトバー５１の伝達ピン５２により第２シフトバー５５が右方向に移動する。第２シフトバー５５が右方向に移動すると、スイッチングスティック５６も右方向に移動する。これにより、スイッチングスティック５６の右端が第３スイッチ７３の切り替えレバーに接触し、第３スイッチ７３がオフからオンに切り替わる。第３スイッチ７３がオフからオンに切り替わると、制御回路７５はモーター６５の駆動を停止する。これにより、各ローディングアーム２１のローラー２３の回転およびピニオン６６の回転が止まる。
【００７２】
また、第２シフトバー５５が右方向に移動すると、第２シフトバー５５の昇降溝５５Ｂに挿入された昇降ピン６４が持ち上がり、これに伴ってトラバースメカ６１が上昇する。これにより、記録ディスク２がターンテーブル６２とターンテーブル６２の上方に配置されたクランパー（図示せず）との間にクランプされる。
【００７３】
また、このとき、第１シフトバー５１の前進により、第１シフトバー５１の退避制御ピン５３がラックプレート３１の第２退避制御溝３５に進入する。そして、退避制御ピン５３が第２退避制御溝３５の傾斜縁を押すことにより、ラックプレート３１が左方向にさらに移動する。これにより、各ローディングアーム２１がさらに開き、各ローディングアーム２１のローラー２３が記録ディスク２の周縁から離れ、各ローディングアーム２１のローラー２３と記録ディスク２の周縁との間に適切なクリアランスが確保される。
【００７４】
さらに、退避制御ピン５３の第２退避制御溝３５への進入によりラックプレート３１が左方向に移動すると、セレクトプレート３７のセレクトピン３８が、セレクトカム溝３３の右端部に形成された溝部により後ろ方向にわずかに押され、セレクトプレート３７が小さく後退する。セレクトプレート３７が小さく後退すると、イジェクトアーム４１の支軸４２も小さく後退する。このとき、イジェクトアーム４１の他端側は、トリガープレート４６の前進により伸張したコイルばね４９により引っ張られている。このため、イジェクトアーム４１は反時計回りに回動し、イジェクトアーム４１の一端側が後退し、イジェクトアーム４１の接触部材４３が記録ディスク２の周縁から離れる。これにより、イジェクトアーム４１の接触部材４３と記録ディスク２の周縁との間に適切なクリアランスが確保される。
【００７５】
図１０に示すように、記録ディスク２のクランプが完了し、イジェクトアーム４１および各ローディングアーム２１の退避が完了すると、図示しないスピンドルモーター６５が駆動を開始し、ターンテーブル６２が回転し、記録ディスク２が回転する。そして、光ピックアップ６３により記録ディスク２に対し、情報の読み取りまたは記録が行われる。
【００７６】
記録ディスク２に対する情報の読み取りまたは書き込みが終了し、記録ディスク２をイジェクトする旨の指示が与えられたときには、この指示に応じてモーター６５が始動する。このときのモーター６５の回転方向は、ローディング時とは逆の方向である。そして、ピニオン６６が逆回転を始め、これにより、第１シフトバー５１およびトリガープレート４６が後退する。さらに、第２シフトバー５５が左方向に移動し、スイッチングスティック５６が左方向に移動し、スイッチングスティック５６が第３スイッチ７３の切り替えレバーから離れ、第３スイッチ７３がオンからオフに切り替わる。さらに、トラバースメカ６１が下降する。さらに、第１シフトバー５１の退避制御ピン５３がラックプレート３１の第２退避制御溝３５から退出し、ラックプレート３１が図示しないばねの力により右方向に移動する。これにより各ローディングアーム２１が閉じ、各ローディングアーム２１のローラー２３が記録ディスク２の周縁に接触する。さらに、トリガープレート４６の後退により、イジェクトアーム４１が時計回りに回動し、イジェクトアーム４１の一端側が前進し、接触部材４３が記録ディスク２の周縁に接触する。また、モーター６５の回転開始により各ローラー２３が逆回転を開始する。
【００７７】
そして、記録ディスク２は、イジェクトアーム４１による押され、さらに各ローディングアーム２１のローラー２３の逆回転により前方向に搬送される。
【００７８】
図１１に示すように、記録ディスク２が前方向に搬送されるにしたがって、各ローディングアーム２１の先端側が閉じ、ラックプレート３１が右方向に移動する。そして、ラックプレート３１のスイッチングエッジ３２が第２スイッチ７２の切り替えレバーに接触し、第２スイッチ７２がオフからオンに切り替わる。第２スイッチ７２がオフからオンに切り替わると、制御回路７５はモーター６５の駆動を停止させる。これにより、各ローディングアーム２１のローラー２３の回転が停止し、記録ディスク２がイジェクト完了位置に停止する。
【００７９】
その後、イジェクト完了位置に停止している記録ディスク２をユーザーがディスクドライブ１０内に再び押し込むと、これにより各ローディングアーム２１が開き、ラックプレート３１が左方向に移動し、第２スイッチ７２がオンからオフに切り替わり、モーター６５の駆動が開始される。これにより、各ローディングアーム２１のローラー２３の回転により、記録ディスク２がディスクドライブ１０内に再び引き込まれる。
【００８０】
（イジェクトアームへの力の付与）
図１２は、３場面でのイジェクトアーム４１の状態を示している。すなわち、図１２中の左側は、記録ディスクがディスクドライブ１０に挿入されていないときのイジェクトアーム４１の状態を示している。図１２中の中央は、例えば記録ディスク２が引き込み完了位置（クランプ位置）まで搬送されたときのイジェクトアーム４１の状態を示している。図１２中の右側は、クランプ時にイジェクトアーム４１が記録ディスク２の周縁から離れたときのイジェクトアーム４１の状態を示している。
【００８１】
図１２に示すように、イジェクトアーム４１は、セレクトプレート３７に支軸４２を介して回動可能に支持されている。イジェクトアーム４１の一端部は支軸４２から右側に伸張している。イジェクトアーム４１の一端部には接触部材４３が取り付けられている。ローディング時において、イジェクトアーム４１は、接触部材４３を記録ディスクの後ろ側周縁に接触させることにより記録ディスクの引き込み完了を検出する。
【００８２】
イジェクトアーム４１の他端部は支軸４２から左側に伸張している。イジェクトアーム４１の他端部には押動制御部４４が形成されている。イジェクトアーム４１が反時計回りに回動してイジェクトアーム４１の他端部が前進すると、押動制御部４４はトリガープレート４６のトリガーピン４７を押し、トリガープレート４６を後部位置Ｐ１から中間位置Ｐ２まで押し動かす。
【００８３】
また、イジェクトアーム４１の支軸４２と他端部との間にはばね接続部８１が形成されている。
【００８４】
トリガープレート４６は、シャーシ１１に固定されたモーターブランケット（図示せず）に前後方向に移動可能に取り付けられている。トリガープレート４６は、セレクトプレート３７に対し、後部位置Ｐ１から中間位置Ｐ２を通過して前部位置Ｐ３に至るまで前方向に移動することができる。
【００８５】
また、トリガープレート４６は、トリガープレート４６が後部位置Ｐ１から中間位置Ｐ２に存在するまでの間、押動制御部４４と接するトリガーピン４７を備えている。
【００８６】
また、トリガープレート４６は、トリガープレート４６が前方向に移動して中間位置Ｐ２に到達したときに、ピニオン６６と噛み合うラック部４６Ａを備えている。
【００８７】
モーター６５およびピニオン６６は、押動制御部４４により中間位置Ｐ２まで押し動かされたトリガープレート４６を中間位置Ｐ２から前部位置Ｐ３まで搬送する。
【００８８】
コイルばね４９は、その一端側がイジェクトアーム４１のばね接続部８１に接続され、他端側がトリガープレート４６のばね接続部８２に接続されている。コイルばね４９は、トリガープレート４６が前方向に移動したときに、イジェクトアーム４１のばね接続部８１を前方向に引っ張る。
【００８９】
図１２左側に示すように、記録ディスクがディスクドライブ１０に挿入されていないときには、コイルばね４９により、イジェクトアーム４１には、時計回り方向Ｄ１に回動するような力が加えられている。これにより、イジェクトアーム４１の一端部の接触部材４３は大きく前進しており、イジェクトアーム４１の他端部の押動制御部４４は大きく後退している。
【００９０】
コイルばね４９によりイジェクトアーム４１にこのような力が付与されるのは、コイルばね４９の端部が、イジェクトアーム４１の支軸４２と他端部（押動制御部４４）とのほぼ中間位置に形成されたばね接続部８１に接続されているからである。すなわち、イジェクトアーム４１が反時計回りに回動すると、押動制御部４４が前進し、同時にばね接続部８１も前進する。さらに、押動制御部４４の前進によりトリガープレート４６が前進する。押動制御部４４と支軸４２との間の距離は、ばね接続部８１と支軸４２との間の距離よりも長いので、イジェクトアーム４１が反時計回りに回動したときの押動制御部４４の前進量は、ばね接続部８１の前進量よりも多い。さらに、トリガープレート４６は押動制御部４４の前進量と同じ量前進するので、トリガープレート４６の前進量は、ばね接続部８１の前進量よりも多い。この結果、イジェクトアーム４１が反時計回りに回動すると、コイルばね４９が伸びる。コイルばね４９が伸びると、コイルばね４９により、トリガープレート４６を後ろ方向に引き戻そうとする力が生じる。そして、トリガープレート４６を後ろ方向に引き戻そうとする力は、トリガーピン４７と押動制御部４４との接触により、押動制御部４４を後ろ方向に戻そうとする力となる。そして、この力は、トリガープレート４１を時計回り方向Ｄ１に回動させる力となる。
【００９１】
記録ディスク２がディスクドライブ１０に挿入され、ローディングが開始されても、記録ディスク２が引き込み完了位置に到達しておらず、トリガープレート４６が中間位置Ｐ２に到達しておらず、トリガープレート４６のラック部４６Ａがピニオン６６とまだ噛み合っていない間は、イジェクトアーム４１には、コイルばね４９により、時計回り方向Ｄ１に回動するような力が加えられる。これにより、記録ディスク２がディスクドライブ１０に挿入され、記録ディスク２の後ろ側周縁がイジェクトアーム４１の接触部材４３に接触してから、記録ディスク２が引き込み完了位置に到達するまでの間、イジェクトアーム４１の接触部材４３は、記録ディスク２の後ろ側周縁に、コイルばね４９が作り出したＤ１方向の力をもって接触する。
【００９２】
図１２中央に示すように、記録ディスク２が引き込み完了位置まで搬送されると、記録ディスク２によりイジェクトアーム４１の接触部材４３が後ろ方向に押され、イジェクトアーム４１がコイルばね４９の付勢力に抗して反時計回りに回動する。これにより、押動制御部４４がトリガーピン４７を押し、トリガープレート４６が中間位置Ｐ２まで前進する。トリガープレート４６が中間位置Ｐ２まで前進すると、トリガープレート４６のラック部４６Ａがピニオン６６と噛み合う。このとき、ピニオン６６はモーター６５により回転している。ピニオン６６の回転により、トリガープレート４６が前部位置Ｐ３に向けて前進する。これにより、トリガーピン４７が押動制御部４４から離れる。この結果、イジェクトアーム４１のばね接続部８１がコイルばね４９により前方向に引っ張られる。それゆえ、イジェクトアーム４１には、コイルばね４９により、反時計回り方向Ｄ２の力が与えられる。
【００９３】
コイルばね４９により反時計回り方向Ｄ２の力が与えられると、図１２右側に示すように、イジェクトアーム４１が反時計回り方向に回動する。そして、この回動は、イジェクトアーム４１の他端側がストッパー３９に接することにより止められる。この結果、イジェクトアーム４１の接触部材４３が記録ディスク２の後ろ側周縁から離れ、接触部材４３と記録ディスク２の後ろ側周縁との間に適切なクリアランスが確保される。
【００９４】
なお、ストッパー３９は、上端側が上向きに伸び、下端側がセレクトプレート３７に形成された貫通溝９１を介して、図示しないモーターブランケットに固定されている。このため、イジェクトアームの一端側（接触部材４３）の後退幅Ｄ８は、セレクトプレート３７の後退幅Ｄ７よりも大きく、記録ディスク周辺に十分なクリアランスを与えることができる。
【００９５】
なお、図１２を用いて説明したイジェクトアーム４１の状態および動作は、記録ディスク１がディスクドライブ１０に挿入されたときでもほぼ同様である。
【００９６】
以上説明した通り、ディスクドライブ１０によれば、ローディング時にイジェクトアーム４１に加えるべき力と、クランプ時にイジェクトアーム４１に加えるべき力とが、互いに逆方向であるのにもかかわらず、これらの力を一本のコイルばね４９により作り出すことができる。これにより、ディスクドライブ１０の構造を簡単化することができる。したがって、ディスクドライブ２０の部品点数を削減することができ、ディスクドライブ１０の小型化、薄型化、軽量化および製造コストの削減を実現することができる。
【００９７】
なお、シャーシ１１が基板の具体例であり、セレクトプレート３７が支持板の具体例であり、イジェクトアーム４１がアームの具体例であり、トリガープレート４６が移動部材の具体例であり、モーター６５およびピニオン６６が搬送機構の具体例である。
【００９８】
また、本発明は、請求の範囲および明細書全体から読み取るこのできる発明の要旨または思想に反しない範囲で適宜変更可能であり、そのような変更を伴うディスクドライブもまた本発明の技術思想に含まれる。
【図面の簡単な説明】
【００９９】
【図１】本発明のディスクドライブの実施形態を示す斜視図である。
【図２】図１中のディスクドライブの内部を示す平面図である。
【図３】小径の記録ディスクが挿入されたときのディスクドライブの内部を示す平面図である。
【図４】小径の記録ディスクがクランプ位置に搬送されたときのディスクドライブの内部を示す平面図である。
【図５】小径の記録ディスクがクランプされたときのディスクドライブの内部を示す平面図である。
【図６】小径の記録ディスクがイジェクト完了位置で停止したときのディスクドライブの内部を示す平面図である。
【図７】大径の記録ディスクが挿入されたときのディスクドライブの内部を示す平面図である。
【図８】大径の記録ディスクの搬送途中におけるディスクドライブの内部を示す平面図である。
【図９】大径の記録ディスクがクランプ位置に搬送されたときのディスクドライブの内部を示す平面図である。
【図１０】大径の記録ディスクがクランプされたときのディスクドライブの内部を示す平面図である。
【図１１】大径の記録ディスクがイジェクト完了位置で停止したときのディスクドライブの内部を示す平面図である。
【図１２】イジェクトアームの３つの状態を示す説明図である。
【符号の説明】
【０１００】
１０  ディスクドライブ
３７  セレクトプレート
４１  イジェクトアーム
４２  支軸
４３  接触部材
４４  押動制御部
４６  トリガープレート
４７  トリガーピン
４９  コイルばね
６５  モーター
６６  ピニオン
８１  ばね接続部
【図１】
2007102939.tif 000003
【図２】
2007102939.tif 000004
【図３】
2007102939.tif 000005
【図４】
2007102939.tif 000006
【図５】
2007102939.tif 000007
【図６】
2007102939.tif 000008
【図７】
2007102939.tif 000009
【図８】
2007102939.tif 000010
【図９】
2007102939.tif 000011
【図１０】
2007102939.tif 000012
【図１１】
2007102939.tif 000013
【図１２】
2007102939.tif 000014